(57)【要約】【課題】上部の吹き出し口側から吐出される空気が熱交換器全体を通過させることや、下部の吹き出し口側から吐出される空気が熱交換器全体を通過させることができない構成であるため、空気調和機の運転状態によって室内の温度分布が大きくなってしまう。【解決手段】吸い込み口に設けられたパネルの上下端部がそれぞれ前面側に移動できる機構を有したことで、上下それぞれの吹き出し口に吐出する空気の量だけでなく、熱交換器に通過させる面積も変化できることで、大幅に室内の温度分布を改善できる運転が可能となる。【選択図】図１
2006214604.tif 000002
【特許請求の範囲】
【請求項１】
筐体の前面側に吸い込み口と、前記吸い込み口の筐体内部に仮設された熱交換器と、前記吸い込み口の上下両端に設けられた複数の吹き出し口と、前記吸い込み口の上部と下部の筐体内部に設けられたクロスフローファンと、前記吹き出し口に通じる空気流路と前記吸込み口にパネルを具備する室内送風ユニットであって、前記パネルが前面側に可動する機構を備えたことを特徴とする空気調和機。
【請求項２】
筐体の前面側に吸い込み口と、前記吸い込み口の筐体内部に仮設された熱交換器と、前記吸い込み口の上下両端に設けられた複数の吹き出し口と、前記吸い込み口の上部と下部の筐体内部に設けられたクロスフローファンと、前記吹き出し口に通じる空気流路とを具備する室内送風ユニットであって、前記筐体内部の風路において、熱交換器の奥部に、前記筐体の略中央部を支点として揺動する複数のダンパを設け、前記ダンパが揺動された際は前記ダンパのそれぞれの自由端部は前記熱交換器の上下それぞれの端部に略接触することを特徴とする空気調和機。
【発明の詳細な説明】
【技術分野】
【０００１】
本発明は、室内の冷房または暖房を行う空気調和機の室内機に関するものである。
【背景技術】
【０００２】
従来、この種の空気調和機は複数の吹き出し口を有し、それぞれの吹き出し口において、吸込まれた空気が熱交換器を通過する面積をダンパーで変化させる機能を有するものもある（例えば、特許文献１参照）。
【０００３】
図３は、特許文献に記載された従来の空気調和機の略断面図を示すものである。
【０００４】
図３に示すように、シャーシ１０の前面に吸込み口１１と吸込み口１１の上下方向に吹き出し口１５が形成され、シャーシ１０の内部には熱交換器１２と、熱交換器１２で凝縮した凝縮水を貯留するドレンパン１３と、吸込み口１１の上下方向にモータと接続されたクロスフローファン１４がそれぞれ配置され、また、シャーシ１０の内部にはそれぞれの吹き出し口１４へ吐出される空気が熱交換器１２と熱交換する面積を変化させるダンパー１６とダンパー１６と接触するストッパー１７から構成されている。
【特許文献１】実開平１−５６０９８号公報
【発明の開示】
【発明が解決しようとする課題】
【０００５】
しかしながら前記従来の構成では、上部の吹き出し口側から吐出される空気が熱交換器全体を通過させることや下部の吹き出し口側から吐出される空気が熱交換器全体を通過させることができない構成であるため、空気調和機の運転状態によって室内の温度分布が不均一になってしまう課題を有していた。
【０００６】
本発明は、前記従来の課題を解決するもので、運転状態に関わらず室内の温度分布を大幅に改善することを目的とする。
【課題を解決するための手段】
【０００７】
前記従来の課題を解決するために、本発明の空気調和機は吸い込み口に設けられたパネルの上下端部がそれぞれ前面側に移動できる機構を有したものである。
【０００８】
これによって、上下それぞれの吹き出し口に吐出する空気の量だけでなく、熱交換器に通過させる面積も変化できることで、大幅に室内の温度分布を改善できる運転が可能となる。
【０００９】
また、本発明の空気調和機はシャーシ内部の風路において、熱交換器の上下端部に可動する可動仕切板を有したものである。
【００１０】
これによって、運転状態に応じて可動仕切板の開度を変えることで、上下吹き出し口から吐出する空気量を制御できるだけでなく、空気調和機に吸込まれる空気量を上下方向で変化させることができるために、大幅に室内の温度分布を改善できる運転が可能となる。
【発明の効果】
【００１１】
本発明の空気調和機は運転状態に応じて吸い込み口に設けられたパネルの上下端部がそれぞれ前面側に移動できる機構を有していることで、上下それぞれの吹き出し口に吐出する空気の量だけでなく、熱交換器に通過させる面積も変化できることで、大幅に室内の温
度分布を改善できる運転が可能となる。
【００１２】
また、筐体内部に揺動するダンパを設け、その自由端部を熱交換器の上下端部に略接触させることにより吹出し空気量を変化出来るので、大幅に室内の温度分布を改善出来る。
【発明を実施するための最良の形態】
【００１３】
第１の発明は空気調和機の吸い込み口に設けられたパネルの上下端部がそれぞれ前面側に移動できる機構を有しているので、上下それぞれの吹き出し口に吐出する空気の量だけでなく、熱交換器に通過させる面積も変化できることで、大幅に室内の温度分布を改善できる運転が可能となる。
【００１４】
第２の発明は、熱交換器の奥部に揺動する可動仕切板を有したもので、運転状態に応じて可動仕切板の開度を変えることで、上下吹き出し口から吐出する空気量を制御できるだけでなく、空気調和機に吸込まれる空気量を上下方向吸込み量を変化させることができるために、大幅に室内の温度分布を改善できる運転が可能となる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における空気調和機の略断面図を示すものである。
【００１７】
図１において、シャーシ１０の前面に吸込み口１１と吸込み口１１の上下方向に吹き出し口１５が形成され、シャーシ１０の内部には熱交換器１２と、熱交換器１２で凝縮した凝縮水を貯留するドレンパン１３と、吸込み口１１の上下方向にモータと接続されたクロスフローファン１４がそれぞれ配置され、吸い込み口１１に設けられたパネルの上下端部がそれぞれ前面側に移動できる機構を有した可動パネル２１から構成されている。
【００１８】
以上のように構成された空気調和機について、以下にその動作、作用を説明する。
【００１９】
まず、上下それぞれに運転可能なクロスフローファン１４の運転することで室内の空気が吸込み口１１からシャーシ内に流入する。
【００２０】
さらに、吸い込み口１１に設けられたパネルの上下端部がそれぞれ前面側に移動できる機構を有した可動パネル２１をシャーシ１０から任意の距離だけ前方に移動させることで、上下それぞれの吹き出し口１５に吐出する空気の量だけでなく、熱交換器１２に通過させる面積も変化させて室内に冷媒のエネルギーを供給する。
【００２１】
以上のように、本実施の形態においては可動パネル２１の上下端部がそれぞれ任意に前方に移動できるために、運転状態によって、上下それぞれの吹き出し口１５に吐出する空気の量だけでなく、熱交換器１２に通過させる面積も変化できることで、大幅に室内の温度分布を改善でき、室内機設置空間の快適性向上が可能となる。
【００２２】
（実施の形態２）
図２は、本発明の第２の実施の形態における空気調和機の略断面図を示すものである。
【００２３】
図２において、シャーシ１０内部の風路において、熱交換器１２の上下端部に可動する可動仕切板２２から構成されている。
【００２４】
以上のように構成された空気調和機について、以下にその動作、作用を説明する。
【００２５】
まず、シャーシ１０内部の風路において、熱交換器１２の上下端部に可動する可動仕切板２２を設けたことで、上下吹き出し口１５から吐出する空気量をそれぞれ制御できるだけでなく、空気調和機に吸込まれる空気量を上下方向で変化させることができるために、大幅に室内の温度分布を改善できる運転が可能となる。
【産業上の利用可能性】
【００２６】
以上のように本発明に係る空気調和機は、吹出し口が複数有る空気調和機の快適性の向上が図れるので、床置き型空気調和機や天吊型空気調和機など、複数の吹出し口を有する様々な空気調和機に適用することができる。
【図面の簡単な説明】
【００２７】
【図１】本発明の実施の形態１における室内機の略断面図
【図２】本発明の実施の形態２における室内機の略断面図
【図３】従来の室内機の略断面図
【符号の説明】
【００２８】
１１  吸い込み口
１２  熱交換器
１４  クロスフローファン
１５  吹き出し口
２１  可動パネル
２２  可動仕切板
【図１】
2006214604.tif 000003
【図２】
2006214604.tif 000004
【図３】
2006214604.tif 000005